(57)【要約】【課題】駐車場の階と商店街の階を水平層状に有する施設における案内地図を配信する地図配信システムに係り、商店街階に居ながら別の駐車場階の駐車位置を知ることができる案内地図を提供し、好適な移動ルートの選択を促す地図配信システムに関する。【解決手段】商店街階における現在位置と駐車場階における駐車位置を特定して、現在位置と、駐車位置に垂直方向に相当する位置を含む地図領域２２０１の商店街地図を生成し、その商店街地図に現在位置２２０２と駐車位置に垂直方向に相当する位置２２０３を合成して案内地図を生成し、案内地図をユーザに提供する。【選択図】図２２
2007226484.tif 000002
【特許請求の範囲】
【請求項１】
駐車場の階と商店街の階を水平層状に有する施設における案内地図を配信する地図配信サーバであって、以下の要素を有することを特徴とする地図配信サーバ
（１）車両を駐車場に駐車させたユーザに対応するユーザ対応情報と、車両を駐車させた駐車位置を特定可能な駐車位置特定情報を含む駐車位置登録要求を受信する駐車位置登録要求受信部
（２）受信した駐車位置登録要求に含まれるユーザ対応情報と駐車位置特定情報を対応付けて、駐車位置管理テーブルに記憶させる駐車位置登録部
（３）ユーザ対応情報と駐車位置特定情報を対応付けて記憶する駐車位置管理テーブル
（４）商店街から案内地図を要求するユーザに対応するユーザ対応情報と、ユーザの現在位置を特定可能な現在位置特定情報を含む地図配信要求を受信する地図配信要求受信部
（５）駐車位置管理テーブルから地図配信要求に含まれるユーザ対応情報に対応する駐車位置特定情報を取得し、駐車位置特定情報により特定される駐車位置に垂直方向に相当する商店街階の位置と、地図配信要求に含まれる現在位置特定情報により特定される現在位置を含む商店街階の商店街地図を生成し、生成した商店街地図に前記駐車位置に垂直方向に相当する位置のマークと現在位置のマークを合成して案内地図を生成し、生成した案内地図を送信する案内地図配信部。
【請求項２】
地図配信サーバは、更に、駐車場階の別の位置に複数設置された駐車場階端末を識別する駐車場階端末ＩＤと、当該駐車場階端末の設置位置を対応付けて記憶する駐車場階端末テーブルと、
商店街階の別の位置に複数設置された商店街階端末を識別する商店街階端末ＩＤと、当該商店街階端末の設置位置を対応付けて記憶する商店街階端末テーブルを有し、
ユーザ対応情報は、ユーザが保持するＩＣタグのタグＩＤであって、
駐車位置特定情報は、タグＩＤを読み取らせた駐車場階端末の駐車場階端末ＩＤであって、
駐車位置登録要求受信部は、駐車場階端末からタグＩＤと駐車場階端末ＩＤを含む駐車位置登録要求を受信し、
現在位置特定情報は、タグＩＤを読み取らせた商店街階端末の商店街階端末ＩＤであって、
地図配信要求受信部は、商店街階端末からタグＩＤと商店街階端末ＩＤを含む地図配信要求を受信し、
案内地図配信部は、駐車場階端末テーブルから駐車場階端末ＩＤに対応する駐車場階端末設置位置を取得して駐車位置とし、商店街階端末テーブルから商店街階端末ＩＤに対応する商店街階端末設置位置を取得して現在位置とすることを特徴とする請求項１記載の地図配信サーバ。
【請求項３】
ユーザ対応情報は、ユーザが保持する携帯電話端末のメールアドレスであって、
駐車位置特定情報は、携帯電話端末の位置測定部で測定した測定位置であって、
駐車位置登録要求受信部は、携帯電話端末から測定位置を含む駐車位置登録要求メールを受信し、
現在位置特定情報は、携帯電話端末の位置測定部で測定した測定位置であって、
地図配信要求受信部は、携帯電話端末から測定位置を含む地図配信要求を受信し、
案内地図配信部は、案内地図を携帯電話端末へ送信することを特徴とする請求項１記載の地図配信サーバ。
【請求項４】
ユーザ対応情報と駐車位置特定情報を対応付けて記憶できる駐車位置管理テーブルを有し、駐車場の階と商店街の階を水平層状に有する施設における案内地図を配信する地図配信サーバとなるコンピュータに、以下の手順を実行させるためのプログラム
（１）車両を駐車場に駐車させたユーザに対応するユーザ対応情報と、車両を駐車させた駐車位置を特定可能な駐車位置特定情報を含む駐車位置登録要求を受信する駐車位置登録要求受信手順
（２）受信した駐車位置登録要求に含まれるユーザ対応情報と駐車位置特定情報を対応付けて、駐車位置管理テーブルに記憶させる駐車位置登録手順
（３）商店街から案内地図を要求するユーザに対応するユーザ対応情報と、ユーザの現在位置を特定可能な現在位置特定情報を含む地図配信要求を受信する地図配信要求受信手順
（４）駐車位置管理テーブルから地図配信要求に含まれるユーザ対応情報に対応する駐車位置特定情報を取得し、駐車位置特定情報により特定される駐車位置に垂直方向に相当する商店街階の位置と、地図配信要求に含まれる現在位置特定情報により特定される現在位置を含む商店街階の商店街地図を生成し、生成した商店街地図に前記駐車位置に垂直方向に相当する位置のマークと現在位置のマークを合成して案内地図を生成し、生成した案内地図を送信する案内地図配信手順。
【発明の詳細な説明】
【技術分野】
【０００１】
本発明は、駐車場の階と商店街の階を水平層状に有する施設における案内地図を配信する地図配信システムに係り、商店街階に居ながら別の駐車場階の駐車位置を知ることができる案内地図を提供し、好適な移動ルートの選択を促す地図配信システムに関する。
【背景技術】
【０００２】
従来技術として、駐車場内における駐車位置を案内するシステムが多く提案されている。大型の駐車場内において、駐車位置を知らせるためのシステムである。
【０００３】
これに対し、本願発明は、ショッピングモールや地下商店街など駐車場の階と商店街の階を水平層状に有する施設において、駐車位置を知らせるシステムである。このような施設でも、駐車場階において駐車位置を知るためには従来技術が有用である。また、駐車場階に居る場合には、比較的簡単に駐車位置を思い起こすことができる。
【０００４】
しかし、別の階である商店街に居る場合には、商店街階の方向感覚と駐車場階との方向感覚が一致せず、駐車位置を想起しにくくなる。その為、商店街階から駐車場階へ移動してからでないと駐車位置を把握できず、遠回りとなる階段やエレベータを選択して移動してしまうことが間々有る。
【特許文献１】特開２００２−２１６２９７号公報
【特許文献２】特開２００３−２３３８９８号公報
【特許文献３】特開２００４−２０６１９８号公報
【発明の開示】
【発明が解決しようとする課題】
【０００５】
本発明は、このような問題を解決し、商店街階に居ながら別の駐車場階の駐車位置を知ることができる案内地図を提供し、好適な移動ルートの選択を促すことを目的とする。
【課題を解決するための手段】
【０００６】
本発明に係る地図配信サーバは、駐車場の階と商店街の階を水平層状に有する施設における案内地図を配信する地図配信サーバであって、以下の要素を有することを特徴とする。
（１）車両を駐車場に駐車させたユーザに対応するユーザ対応情報と、車両を駐車させた駐車位置を特定可能な駐車位置特定情報を含む駐車位置登録要求を受信する駐車位置登録要求受信部
（２）受信した駐車位置登録要求に含まれるユーザ対応情報と駐車位置特定情報を対応付けて、駐車位置管理テーブルに記憶させる駐車位置登録部
（３）ユーザ対応情報と駐車位置特定情報を対応付けて記憶する駐車位置管理テーブル
（４）商店街から案内地図を要求するユーザに対応するユーザ対応情報と、ユーザの現在位置を特定可能な現在位置特定情報を含む地図配信要求を受信する地図配信要求受信部
（５）駐車位置管理テーブルから地図配信要求に含まれるユーザ対応情報に対応する駐車位置特定情報を取得し、駐車位置特定情報により特定される駐車位置に垂直方向に相当する商店街階の位置と、地図配信要求に含まれる現在位置特定情報により特定される現在位置を含む商店街階の商店街地図を生成し、生成した商店街地図に前記駐車位置に垂直方向に相当する位置のマークと現在位置のマークを合成して案内地図を生成し、生成した案内地図を送信する案内地図配信部。
【０００７】
また、地図配信サーバは、更に、駐車場階の別の位置に複数設置された駐車場階端末を識別する駐車場階端末ＩＤと、当該駐車場階端末の設置位置を対応付けて記憶する駐車場階端末テーブルと、
商店街階の別の位置に複数設置された商店街階端末を識別する商店街階端末ＩＤと、当該商店街階端末の設置位置を対応付けて記憶する商店街階端末テーブルを有し、
ユーザ対応情報は、ユーザが保持するＩＣタグのタグＩＤであって、
駐車位置特定情報は、タグＩＤを読み取らせた駐車場階端末の駐車場階端末ＩＤであって、
駐車位置登録要求受信部は、駐車場階端末からタグＩＤと駐車場階端末ＩＤを含む駐車位置登録要求を受信し、
現在位置特定情報は、タグＩＤを読み取らせた商店街階端末の商店街階端末ＩＤであって、
地図配信要求受信部は、商店街階端末からタグＩＤと商店街階端末ＩＤを含む地図配信要求を受信し、
案内地図配信部は、駐車場階端末テーブルから駐車場階端末ＩＤに対応する駐車場階端末設置位置を取得して駐車位置とし、商店街階端末テーブルから商店街階端末ＩＤに対応する商店街階端末設置位置を取得して現在位置とすることを特徴とする。
【０００８】
また、ユーザ対応情報は、ユーザが保持する携帯電話端末のメールアドレスであって、
駐車位置特定情報は、携帯電話端末の位置測定部で測定した測定位置であって、
駐車位置登録要求受信部は、携帯電話端末から測定位置を含む駐車位置登録要求メールを受信し、
現在位置特定情報は、携帯電話端末の位置測定部で測定した測定位置であって、
地図配信要求受信部は、携帯電話端末から測定位置を含む地図配信要求を受信し、
案内地図配信部は、案内地図を携帯電話端末へ送信することを特徴とする。
【０００９】
本発明に係るプログラムは、ユーザ対応情報と駐車位置特定情報を対応付けて記憶できる駐車位置管理テーブルを有し、駐車場の階と商店街の階を水平層状に有する施設における案内地図を配信する地図配信サーバとなるコンピュータに、以下の手順を実行させることを特徴とする。
（１）車両を駐車場に駐車させたユーザに対応するユーザ対応情報と、車両を駐車させた駐車位置を特定可能な駐車位置特定情報を含む駐車位置登録要求を受信する駐車位置登録要求受信手順
（２）受信した駐車位置登録要求に含まれるユーザ対応情報と駐車位置特定情報を対応付けて、駐車位置管理テーブルに記憶させる駐車位置登録手順
（３）商店街から案内地図を要求するユーザに対応するユーザ対応情報と、ユーザの現在位置を特定可能な現在位置特定情報を含む地図配信要求を受信する地図配信要求受信手順
（４）駐車位置管理テーブルから地図配信要求に含まれるユーザ対応情報に対応する駐車位置特定情報を取得し、駐車位置特定情報により特定される駐車位置に垂直方向に相当する商店街階の位置と、地図配信要求に含まれる現在位置特定情報により特定される現在位置を含む商店街階の商店街地図を生成し、生成した商店街地図に前記駐車位置に垂直方向に相当する位置のマークと現在位置のマークを合成して案内地図を生成し、生成した案内地図を送信する案内地図配信手順。
【発明の効果】
【００１０】
本発明によれば、商店街階の現在位置と駐車位置に相当する位置を、当該商店街階の地図に合成した案内図面を提供するので、商店街階に居ながら別階の駐車位置を知ることができる。これにより、駐車位置に近い階移動手段（階段、エスカレータ、エレベータなど）を選択したり、その階移動手段までのルートを選択することができる。例えば、帰途にあっても、興味のある商店の展示や音楽などの雰囲気を覗き見たいこともあり、商店街階の地図上で駐車位置を表示することは、移動ルートの効率性以外にも、商業的な活性化にも寄与する。また、再来店する際に、目的の商店に近い駐車位置を知るためにも役立つ。
【発明を実施するための最良の形態】
【００１１】
実施の形態１．
図１は、地図配信システムのネットワーク構成を示す図である。地図配信サーバ１０１、駐車場階端末１０２、及び商店街階端末１０３は、施設内に設けられたネットワークを介して接続している。
【００１２】
施設は、水平層状の商店街の階と駐車場の階から構成されている。図２は、商店街と駐車場の階層の例を示す図である。この例では、地下１階に商店街があり、地下２階に駐車場が設置されている。携帯電話端末による通信が出来ない構造となっている。商店街の階と駐車場の階の上下関係は問わない。また、両階は連続していなくても構わない。
【００１３】
図３は、商店街階端末の配置例を示す図である。商店街階端末１０３は、商店街階の所定の別位置に複数設置されている。図中、符号により商店領域３０１、エスカレータ３０２、階段３０３、及びエレベータ３０４を示している。商店街階端末１０３は、商店領域３０１内にあっても、ホールや通路などの共用領域にあってもよい。
【００１４】
図４は、駐車場階端末の配置例を示す図である。駐車場階端末１０２は、駐車エリア内あるいは駐車エリア近傍の所定の別位置に複数設置されている。符号により、駐車エリア４０１を示している。
【００１５】
本システムでは、駐車場階端末１０２からユーザが駐車した位置を地図配信サーバ１０１に登録する処理と、商店街階端末１０３からのユーザの問い合わせに対して地図配信サーバ１０１が案内地図を配信する処理からなる。まず、駐車場階端末１０２から駐車位置を地図配信サーバ１０１に登録する処理について説明する。
【００１６】
図５は、駐車場階端末の構成を示す図である。駐車場階端末１０２は、駐車位置登録指示入力部５０１、（登録指示）タグＩＤ入力部５０２、駐車場階端末ＩＤ記憶部５０３、及び駐車位置登録要求送信部５０４を有している。駐車場階端末ＩＤ記憶部５０３は、予め駐車場階端末１０２を識別する駐車場階端末ＩＤを記憶している。タグＩＤ入力部５０２は、ユーザがＩＣタグ付カードやＩＣタグ付携帯電話端末などの形態で保持するＩＣタグ（以降、タグと称する。）からタグＩＤを読み取って入力するように構成されている。
【００１７】
図６は、駐車場階端末の駐車位置登録指示受付処理フローを示す図である。駐車場階端末１０２は、まず、駐車位置登録指示入力部５０１により駐車位置登録指示受付画面を出力する（Ｓ６０１）。駐車位置登録指示受付画面は、ユーザに駐車位置登録指示の入力を促す画面である。ユーザは、画面中の駐車位置登録指示ボタンを押下する操作などにより、駐車位置登録指示を入力させる（Ｓ６０２）。この指示により、（登録指示）タグＩＤ入力部５０２は、タグＩＤ読込み操作案内画面を出力する（Ｓ６０３）。この画面は、駐車場階端末１０２に設けられているタグ読取部にＩＣタグ付カードやＩＣタグ付携帯電話端末をかざすなどのタグＩＤ読込み操作を示している。ユーザがこの操作を行なうと、（登録指示）タグＩＤ入力部５０２は、タグＩＤを読込む（Ｓ６０４）。そして、駐車位置登録要求送信部５０４は、駐車場階端末ＩＤ記憶部５０３から駐車場階端末ＩＤを取得し（Ｓ６０５）、タグＩＤと駐車場階端末ＩＤを含む駐車位置登録要求を地図配信サーバ１０１に送信する（Ｓ６０６）。
【００１８】
続いて、駐車位置登録要求を受信して駐車位置を登録する地図配信サーバ１０１の動作について説明する。
【００１９】
図７は、地図配信サーバの構成を示す図である。地図配信サーバ１０１は、駐車位置登録要求受信部７０１、駐車位置登録部７０２、駐車位置管理テーブル７０３、地図配信要求受信部７０４、案内地図配信部７０５、駐車場階端末テーブル７０６、及び商店街階端末テーブル７０７を有している。
【００２０】
図８は、駐車場階端末テーブルの例を示す図である。駐車場階端末毎にレコードを設け、
駐車場階端末ＩＤと、駐車場階端末設置位置の項目を対応付けて記憶するように構成されている。駐車場階端末設置位置は、施設内の水平面上の位置座標を示している。
【００２１】
図９は、商店街階端末テーブルの例を示す図である。商店街階端末毎にレコードを設け、
商店街階端末ＩＤと、商店街階端末設置位置の項目を対応付けて記憶するように構成されている。商店街階端末設置位置は、施設内の水平面上の位置座標を示している。この位置は、前述の駐車場階端末設置位置と同じ座標系を用いている。つまり、両者が垂直な位置関係にある場合には、同一の位置座標となる。
【００２２】
地図配信サーバ１０１は、駐車位置登録要求を受信した場合には、駐車位置登録処理を行ない、地図配信要求を受信した場合には、地図配信処理を行なうメイン処理部を有している。
【００２３】
図１０は、地図配信サーバのメイン処理フローの第一例を示す図である。この例では、駐車位置登録要求を受信する駐車位置登録要求受信部と、地図配信要求を受信する地図配信要求受信部を兼ねる要求受信処理部により、いずれかの要求を受信し（Ｓ１００１）、受信した要求が駐車位置登録要求の場合には、駐車位置登録処理（Ｓ１００２）を行ない、一方、受信した要求が地図配信要求の場合には、地図配信処理（Ｓ１００３）を行なう。
【００２４】
あるいは、駐車位置登録要求受信部と地図配信要求受信部を別個に設けてもよい。図１１は、地図配信サーバのメイン処理フローの第二例を示す図である。この例では、駐車位置登録要求受信処理（Ｓ１１０１）で駐車位置登録要求を受信した場合に、駐車位置登録処理（Ｓ１１０２）を行なうタスクと、地図配信要求受信処理（Ｓ１１０３）で地図配信要求を受信した場合に、地図配信処理（Ｓ１１０４）を行なうタスクを独立して設ける。
【００２５】
続いて、駐車位置登録部７０２による駐車位置登録処理について説明する。図１２は、駐車位置登録処理フローを示す図である。まず、駐車位置登録要求受信部７０１で受信した駐車位置登録要求を取得し（Ｓ１２０１）、タグＩＤと駐車場階端末ＩＤを特定する（Ｓ１２０２，Ｓ１２０３）。具体的には、駐車位置登録要求に含まれるタグＩＤと駐車場階端末ＩＤを読み取る。更に、地図配信サーバ１０１が有するカレンダー時計部（図示せず）から、現在の日付と時刻を取得し（Ｓ１２０４）、タグＩＤと駐車場階端末ＩＤと登録日時を対応付けて、駐車位置管理テーブルに記憶させる（Ｓ１２０５）。
【００２６】
図１３は、駐車位置管理テーブルの例を示す図である。駐車位置の登録毎にレコードを設け、タグＩＤと、駐車場階端末ＩＤと、登録日時の項目を対応付けて記憶するように構成されている。タグＩＤは、ユーザに対応するユーザ対応情報の例であり、駐車場階端末ＩＤは、駐車位置を特定する駐車位置特定情報の例である。
【００２７】
このようにして、駐車位置の登録が完了する。次に、ユーザの問い合わせに応じて案内地図を配信する動作について説明する。
【００２８】
ショッピング中に（あるいはショッピングを終えて）駐車位置を知りたいユーザは、商店街階に設定されている商店街階端末から地図配信サーバ１０１にアクセスする。図１４は、商店街階端末の構成を示す図である。商店街階端末１０３は、地図配信指示入力部１４０１、（配信指示）タグＩＤ入力部１４０２、商店街階端末ＩＤ記憶部１４０３、地図配信要求送信部１４０４、案内地図受信部１４０５、及び案内地図表示部１４０６を有している。商店街階端末ＩＤ記憶部１４０３は、予め商店街階端末を識別する商店街階端末ＩＤを記憶している。商店街階端末としてＰＯＳ端末を用いて、売り上げの際のカードの読み取りによりタグＩＤを入力するようにしてもよい。タグＩＤ入力部１４０２は、ユーザがＩＣタグ付カードやＩＣタグ付携帯電話端末などの形態で保持するＩＣタグからタグＩＤを読み取って入力するように構成されている。
【００２９】
図１５は、商店街階端末の地図配信指示受付処理フローを示す図である。商店街階端末１０３は、まず地図配信指示入力部１４０１により地図配信指示受付画面を出力する（Ｓ１５０１）。地図配信指示受付画面は、ユーザに地図配信指示の入力を促す画面である。ユーザは、画面中の地図配信指示ボタンを押下する操作などにより、地図配信指示を入力させる（Ｓ１５０２）。この指示により、（配信指示）タグＩＤ入力部１４０２は、タグＩＤ読込み操作案内画面を出力する（Ｓ１５０３）。この画面は、商店街階端末１０３に設けられているタグ読取部にＩＣタグ付カードやＩＣタグ付携帯電話端末をかざすなどのタグＩＤ読込み操作を示している。ユーザがこの操作を行なうと、（配信指示）タグＩＤ入力部１４０２は、タグＩＤの読込む（Ｓ１５０４）。そして、地図配信要求送信部１４０４は、商店街階端末ＩＤ記憶部１４０３から商店街階端末ＩＤを取得し（Ｓ１５０５）、タグＩＤと商店街階端末ＩＤを含む地図配信要求を地図配信サーバ１０１に送信する（Ｓ１５０６）。Ｓ１５０７以降については、後述する。
【００３０】
続いて、地図配信要求を受信した地図配信サーバ１０１の動作について説明する。図１６は、案内地図配信処理フローを示す図である。図１７は、案内地図配信部の構成を示す図である。案内地図配信部７０５は、現在位置特定部１７０１、駐車位置特定部１７０２、地図領域判定部１７０３、商店街地図生成部１７０４、地図データベース１７０５、案内地図生成部１７０６、及び案内地図送信部１７０７を有している。地図データベース１７０５は、商店街階の地図を提供するデータベースであり、指示された地図領域の商店街地図を出力し、あるいは指示された中心と表示縮率（表示倍率）に応じた商店街地図を出力するように構成されている。
【００３１】
まず、地図配信要求受信部７０４で受信した地図配信要求を取得し（Ｓ１６０１）、現在位置特定部１７０１による現在位置特定処理（図１６のＳ１６０２）を行なう。この処理では、ユーザの商店街における現在位置を特定する。
【００３２】
図１８は、現在位置特定処理フローを示す図である。地図配信要求に含まれる商店街階端末ＩＤを読み出し（Ｓ１８０１）、商店街階端末テーブル７０７から、この商店街階端末ＩＤに対応する商店街階端末設置位置を取得し、現在位置とする（Ｓ１８０２）。
【００３３】
次に、駐車位置特定部１７０２による駐車位置特定処理（図１６のＳ１６０３）を行なう。この処理では、ユーザが駐車した位置を特定する。
【００３４】
図１９は、駐車位置特定処理フローを示す図である。地図配信要求に含まれるタグＩＤを読み出し（Ｓ１９０１）、駐車位置管理テーブル７０３から、このタグＩＤに対応する駐車場階端末ＩＤを取得する（Ｓ１９０２）。尚、同一のタグＩＤが複数登録されている場合には、登録日時の新しいレコードから駐車場階端末ＩＤを取得する。そして、駐車場階端末テーブル７０６から、駐車場階端末ＩＤに対応する駐車場階端末設置位置を取得し、駐車位置とする（Ｓ１９０３）
次に、地図領域判定部１７０３による地図領域判定処理（図１６のＳ１６０４）を行なう。この処理では、商店街階端末１０３に表示させる案内地図の領域を判定する。案内地図は、商店街地図をベースに生成されるので、この領域は、商店街地図の一部分を特定する情報と言える。
【００３５】
図２０は、地図領域判定処理フローを示す図である。まず、現在位置と駐車位置の中間位置を算出する（Ｓ２００１）。具体的には、現在位置のＸ座標と駐車位置のＸ座標を加えて、２で割ることにより中間位置のＸ座標を求め、現在位置のＹ座標と駐車位置のＹ座標を加えて、２で割ることにより中間位置のＹ座標を求める。次に、所定の表示可能な縮率（例えば、実物大を案内地図の表示大に縮小する率）について、大きい順に以下の処理を繰り返す（Ｓ２００２）。中間位置を中心として、当該縮率で表示枠となる領域を算出する（Ｓ２００３）。具体的には、当該縮率で所定の表示枠となる領域のＸ座標方向の長さとＹ座標方向の長さを算出し、中間位置のＸ座標−（Ｘ座標方向の長さ／２）から中間位置のＸ座標＋（Ｘ座標方向の長さ／２）と、中間位置のＹ座標−（Ｙ座標方向の長さ／２）から中間位置のＹ座標＋（Ｙ座標方向の長さ／２）からなる矩形領域を求める。次に、当該領域内に、現在位置と駐車位置が含まれるか判定し（Ｓ２００４）、両方ともに領域内に含まれる場合には当該領域を、地図領域とする（Ｓ２００５）。当該縮率を表示縮率とし、表示縮率と中間位置により地図領域を特定してもよい。
【００３６】
縮率に代えて、倍率を用いてもよい。例えば、基準となるオリジナルの商店街地図における大きさを、案内地図における大きさに拡大する率のことである。
【００３７】
この例では、現在位置と駐車位置を含む商店街地図の一部分のうち、最も拡大して地図内容を表示できる領域を選択するように動作した。但し、少なくとも現在位置と駐車位置を含む商店街地図の一部分を選択できれば有効である。例えば、予め複数の候補領域を設定しておき、その候補領域から現在位置と駐車位置を含むものを単に選択する処理でもよい。
【００３８】
次に、商店街地図生成部１７０４による商店街地図生成処理（図１６のＳ１６０５）を行なう。この処理では、前述の地図領域により特定される商店街地図を生成する。
【００３９】
図２１は、商店街地図生成処理フローを示す図である。地図領域を指定して、地図データベース１７０５から商店街地図を取得する（Ｓ２１０１）。中間位置を中心に指定し、更に表示縮率を指定して、地図データベースから商店街地図を取得するようにしてもよい。
【００４０】
次に、案内地図生成部１７０６により案内地図を生成する。具体的には、商店街地図に現在位置と駐車位置を合成して、案内地図とする（図１６のＳ１６０６）。駐車位置は、本来別の階の位置であるが、垂直方向に相当する位置として合成する。
【００４１】
図２２は、案内地図の例を示す図である。図中、符号により地図領域２２０１、現在位置のマーク２２０２、及び駐車位置に垂直方向に相当する位置のマーク２２０３を示している。案内地図は、２２０１の枠内のイメージとなる。尚、ベースとなる商店街地図には、商店の店名の表示があると、案内地図の位置関係の把握及び広告機能として有効である。
【００４２】
そして、案内地図送信部１７０７により案内地図を商店街階端末に返信する（図１６のＳ１６０７）
商店街階端末１０３では、図１５に示すように、案内地図受信部１４０５で地図配信サーバから案内地図を受信し（Ｓ１５０７）、案内地図表示部１４０６で案内地図を表示する（Ｓ１５０８）。
【００４３】
本実施の形態は、商店街階と駐車場階が地下にあり、携帯電話端末の通信が不能である場合に有効である。また、携帯電話端末を不要とする点でも有効である。
【００４４】
実施の形態２．
この実施の形態では、ユーザが保持する携帯電話端末で案内地図を受信する形態について説明する。
【００４５】
図２３は、実施の形態２に係る商店街と駐車場の階層の例を示す図である。この例では、商店街が地上であるため、地図配信サーバ１０１と携帯電話端末の通信により案内地図を転送することができる。
【００４６】
図２４は、実施の形態２に係る地図配信サーバの構成を示す図である。本実施の形態では、更にユーザテーブル２４０１を有している。図に示すように、駐車場階端末から駐車位置登録要求を受信する点と商店街階端末から地図配信要求を受信する点は、前述と同様である。但し、案内地図を表示するＵＲＬを含む案内地図メールを携帯電話端末に送信し、携帯電話端末からのＵＲＬへのアクセスにより案内地図を転送する点で前述の形態と異なる。
【００４７】
図２５は、ユーザテーブルの例を示す図である。ユーザ毎にレコードを設け、ユーザＩＤと、タグＩＤと、メールアドレスと、ユーザ名（任意）の項目を対応付けて記憶するように構成されている。本テーブルは、図示しないユーザ情報登録部により、事前の会員登録の手続きで取得あるいは特定したユーザ情報（ユーザＩＤ、タグＩＤ、メールアドレス、ユーザ名）を予め登録することにより生成されている。
【００４８】
案内地図配信部７０５の動作について説明する。図２６は、実施の形態２に係る案内地図配信処理フローを示す図である。図２７は、実施の形態２に係る案内地図配信部の構成を示す図である。案内地図メール生成部２７０１とメール送信部２７０２を有している。
【００４９】
案内地図生成部１７０６は、案内地図を案内地図記憶領域に記憶させ（Ｓ２６０７）、案内地図メール生成部２７０１は、案内地図記憶領域にアクセスする為のＵＲＬを含む案内地図メールを生成し（Ｓ２６０８）、ユーザテーブル２４０１から、タグＩＤに対応するメールアドレスを取得する（Ｓ２６０９）。メール送信部２７０２は、案内地図メールをメールアドレス宛に送信する（Ｓ２６１０）。
【００５０】
案内地図を受信する携帯電話端末の動作について説明する。図２８は、携帯電話端末の案内地図受信に関する構成を示す図である。メール受信部２８０１で案内地図メールを受信し、メール表示部２８０２で案内地図メールを表示する。このメールに含まれるＵＲＬをクリックすることにより、当該ＵＲＬにアクセスし、ブラウザ２８０３で案内地図を表示する。
【００５１】
尚、本実施の形態では、図１４の商店街階端末１０３の構成のうち、案内地図受信部１４０５と案内地図表示部１４０６は不要となる。図１５のＳ１５０７とＳ１５０８は不要となる。
【００５２】
本形態は、例えばＰＯＳ端末を商店街階端末として用いる場合に、カウンターにおける渋滞を防止できる点で優れている。ＰＯＳ端末を用いる場合には、タグの読取り操作を店員が行なうこともある。
【００５３】
実施の形態３．
更に、携帯電話端末から地図配信を要求する形態について説明する。
【００５４】
図２９は、実施の形態３に係る携帯電話端末の地図配信要求に関する構成を示す図である。携帯電話端末は、位置測定部２９０１、地図配信要求メール記憶部２９０２、地図配信要求メール生成部２９０３、及びメール送信部２９０４を有している。位置測定部２９０１は、例えばＧＰＳ（Ｇｌｏｂａｌ  Ｐｏｓｉｔｉｏｎｉｎｇ  Ｓｙｓｔｅｍ）により携帯電話端末の位置を測定するように構成されている。地図配信要求メール記憶部２９０２は、予め地図配信要求メールの所定のフォーマット（地図配信要求メールとして判別するための情報（例えば「地図配信要求」などの表題）と、地図配信サーバ１０１のアドレスを送信先として設定されている。）を記憶している。
【００５５】
図３０は、携帯電話端末の地図配信要求処理フローを示す図である。位置測定部２９０１により位置測定処理（Ｓ３００１）を行ない、携帯電話端末の位置を測定し、測定位置を得る。そして、地図配信要求メール生成部２９０３は、地図配信要求メール記憶部２９０２から地図配信要求メールのフォーマットを読込み（Ｓ３００２）、測定位置をフォーマットの所定項目（本文、あるいは表題）に書込み（Ｓ３００３）、メール送信部２９０４により地図配信要求メールを送信する（Ｓ３００４）。
【００５６】
図３１は、実施の形態３に係る地図配信サーバの構成を示す図である。地図配信要求受信部７０４は、地図配信要求メールを受信するメール受信部である。
【００５７】
案内地図配信処理の動作について説明する。図３２は、実施の形態３に係る案内地図配信処理フローを示す図である。図３３は、実施の形態３に係る案内地図配信部の構成を示す図である。受信した地図配信要求メールを取得する（Ｓ３２０１）。Ｓ３２０２の現在位置特定処理では、地図配信要求メールに含まれる測定位置を当施設の座標系に変換し、現在位置とする。Ｓ３２０３の駐車位置特定処理では、地図配信要求メールの送信元メールアドレスを特定し、そのメールアドレスに対応するタグＩＤをユーザテーブル２４０１から取得して、当該タグＩＤに対応する駐車場階端末ＩＤを駐車位置管理テーブル７０３を取得し、前述と同様に駐車位置を特定する。Ｓ３２０４〜Ｓ３２０８の処理は、前述と同様である。そして、案内地図メールを地図配信要求メールの送信元メールアドレスに返信する（Ｓ３２０９）。
【００５８】
本形態は、商店街階端末が不要となる点で優れている。
【００５９】
実施の形態４．
更に、携帯電話端末から駐車位置登録を要求する形態について説明する。
【００６０】
図３４は、実施の形態４に係る商店街と駐車場の階層の例を示す図である。この例では、駐車場も地上であるので、地図配信サーバ１０１と携帯電話端末の通信により駐車位置登録要求を転送することができる。
【００６１】
図３５は、携帯電話端末の駐車位置登録要求に関する構成を示す図である。携帯電話端末は、位置測定部２９０１の他、駐車位置登録要求メール記憶部３５０１、駐車位置登録要求メール生成部３５０２、及びメール送信部３５０３を有している。駐車位置登録要求メール記憶部３５０１は、予め駐車位置登録要求メールの所定のフォーマット（駐車位置登録要求メールとして判別するための情報（例えば「駐車位置登録要求」などの表題）と、地図配信サーバ１０１のアドレスを送信先として設定されている。）を記憶している。
【００６２】
図３６は、携帯電話端末の駐車位置登録要求処理フローを示す図である。位置測定部２９０１により位置測定処理（Ｓ３６０１）を行ない、携帯電話端末の位置を測定し、測定位置を得る。そして、駐車位置登録要求メール生成部３５０２は、駐車位置登録要求メール記憶部３５０１から駐車位置登録要求メールのフォーマットを読込み（Ｓ３６０２）、測定位置をフォーマットの所定項目（本文、あるいは表題）に書込み（Ｓ３６０３）、メール送信部３５０３により駐車位置登録要求メールを送信する（Ｓ３６０４）。
【００６３】
地図配信サーバの動作について説明する。図３７は、実施の形態４に係る地図配信サーバの構成を示す図である。駐車位置登録要求受信部７０１は、駐車位置登録要求メールを受信するメール受信部である。
【００６４】
図３８は、実施の形態４に係るユーザテーブルの例を示す図である。本実施の形態では、タグＩＤが不要となる。
【００６５】
駐車位置登録処理について説明する。図３９は、実施の形態４に係る駐車位置登録処理フローを示す図である。まず、受信した駐車位置登録要求メールを取得し（Ｓ３９０１）、ユーザテーブル２４０１から送信元メールアドレスに対応するユーザＩＤを取得する（Ｓ３９０２）。次に、駐車位置登録要求メールに含まれる測定位置を当施設の座標系に変換し、駐車位置とする（Ｓ３９０３）。そして、カレンダー時計部から日付と時刻を取得し（Ｓ３９０４）、ユーザＩＤと駐車位置と登録日時を対応付けて、駐車位置管理テーブルに記憶させる（Ｓ３９０５）。
【００６６】
図４０は、実施の形態４に係る駐車位置管理テーブルの例を示す図である。駐車位置の登録毎にレコードを設け、ユーザＩＤと駐車位置と登録日時の項目を対応付けて記憶するように構成されている。ユーザＩＤは、ユーザに対応するユーザ対応情報の例である。
【００６７】
図４１は、実施の形態４に係る案内地図配信部の構成を示す図である。駐車位置特定部１７０２による駐車位置特定処理では、地図配信要求メールの送信元メールアドレスを特定し、そのメールアドレスに対応するユーザＩＤをユーザテーブル２４０１から取得して、当該ユーザＩＤに対応する駐車位置を駐車位置管理テーブル７０３から取得する。尚、同一のユーザＩＤが複数登録されている場合には、登録日時の新しいレコードから駐車位置を取得する。他の動作は、前述と同様である。
【００６８】
本実施の形態は、駐車場階端末とタグが不要になる点で優れている。
【００６９】
地図配信サーバ１０１、駐車場階端末１０２、及び商店街階端末１０３は、コンピュータであり、各要素はプログラムにより処理を実行することができる。また、プログラムを記憶媒体に記憶させ、記憶媒体からコンピュータに読み取られるようにすることができる。
【００７０】
コンピュータのハードウェアの構成について説明する。図４２は、ハードウェアの構成を示す図である。バスに、演算装置４２０１、データ記憶装置４２０２、メモリ４２０３、通信インターフェース４２０４が接続されている。データ記憶装置４２０２は、例えばＲＯＭ（Ｒｅａｄ  Ｏｎｌｙ  Ｍｅｍｏｒｙ）やハードディスクである。メモリ４２０３は、通常ＲＡＭ（Ｒａｎｄｏｍ  Ａｃｃｅｓｓ  Ｍｅｍｏｒｙ）である。プログラムは、通常データ記憶装置４２０２に記憶されており、メモリ４２０３にロードされた状態で、順次演算装置４２０１に読み込まれ処理を行う。通信インターフェース４２０４は、ネットワークを介した通信やメール通信に用いる。駐車場階端末１０２、及び商店街階端末１０３の場合には、更に表示装置、タッチパネルなどの操作部、及びタグ読取部も有している。
【図面の簡単な説明】
【００７１】
【図１】地図配信システムのネットワーク構成を示す図である。
【図２】商店街と駐車場の階層の例を示す図である。
【図３】商店街階端末の配置例を示す図である。
【図４】駐車場階端末の配置例を示す図である。
【図５】駐車場階端末の構成を示す図である。
【図６】駐車場階端末の駐車位置登録指示受付処理フローを示す図である。
【図７】地図配信サーバの構成を示す図である。
【図８】駐車場階端末テーブルの例を示す図である。
【図９】商店街階端末テーブルの例を示す図である。
【図１０】地図配信サーバのメイン処理フローの第一例を示す図である。
【図１１】地図配信サーバのメイン処理フローの第二例を示す図である。
【図１２】駐車位置登録処理フローを示す図である。
【図１３】駐車位置管理テーブルの例を示す図である。
【図１４】商店街階端末の構成を示す図である。
【図１５】商店街階端末の地図配信指示受付処理フローを示す図である。
【図１６】案内地図配信処理フローを示す図である。
【図１７】案内地図配信部の構成を示す図である。
【図１８】現在位置特定処理フローを示す図である。
【図１９】駐車位置特定処理フローを示す図である。
【図２０】地図領域判定処理フローを示す図である。
【図２１】商店街地図生成処理フローを示す図である。
【図２２】案内地図の例を示す図である。
【図２３】実施の形態２に係る商店街と駐車場の階層の例を示す図である。
【図２４】実施の形態２に係る地図配信サーバの構成を示す図である。
【図２５】ユーザテーブルの例を示す図である。
【図２６】実施の形態２に係る案内地図配信処理フローを示す図である。
【図２７】実施の形態２に係る案内地図配信部の構成を示す図である。
【図２８】携帯電話端末の案内地図受信に関する構成を示す図である。
【図２９】実施の形態３に係る携帯電話端末の地図配信要求に関する構成を示す図である。
【図３０】携帯電話端末の地図配信要求処理フローを示す図である。
【図３１】実施の形態３に係る地図配信サーバの構成を示す図である。
【図３２】実施の形態３に係る案内地図配信処理フローを示す図である。
【図３３】実施の形態３に係る案内地図配信部の構成を示す図である。
【図３４】実施の形態４に係る商店街と駐車場の階層の例を示す図である。
【図３５】携帯電話端末の駐車位置登録要求に関する構成を示す図である。
【図３６】携帯電話端末の駐車位置登録要求処理フローを示す図である。
【図３７】実施の形態４に係る地図配信サーバの構成を示す図である。
【図３８】実施の形態４に係るユーザテーブルの例を示す図である。
【図３９】実施の形態４に係る駐車位置登録処理フローを示す図である。
【図４０】実施の形態４に係る駐車位置管理テーブルの例を示す図である。
【図４１】実施の形態４に係る案内地図配信部の構成を示す図である。
【図４２】ハードウェアの構成を示す図である。
【符号の説明】
【００７２】
１０１  地図配信サーバ、１０２  駐車場階端末、１０３  商店街階端末、３０１  商店領域、３０２  エスカレータ、３０３  階段、３０４  エレベータ、４０１  駐車エリア、５０１  駐車位置登録指示入力部、５０２  （登録指示）タグＩＤ入力部、５０３  駐車場階端末ＩＤ記憶部、５０４  駐車位置登録要求送信部、７０１  駐車位置登録要求受信部、７０２  駐車位置登録部、７０３  駐車位置管理テーブル、７０４  地図配信要求受信部、７０５  案内地図配信部、７０６  駐車場階端末テーブル、７０７  商店街階端末テーブル、１４０１  地図配信指示入力部、１４０２  （配信指示）タグＩＤ入力部、１４０３  商店街階端末ＩＤ記憶部、１４０４  地図配信要求送信部、１４０５  案内地図受信部、１４０６  案内地図表示部、１７０１  現在位置特定部、１７０２  駐車位置特定部、１７０３  地図領域判定部、１７０４  商店街地図生成部、１７０５  地図データベース、１７０６  案内地図生成部、１７０７  案内地図送信部、２２０１  地図領域、２２０２  現在位置、２２０３  駐車位置、２４０１  ユーザテーブル、２７０１  案内地図メール生成部、２７０２  メール送信部、２８０１  メール受信部、２８０２  メール表示部、２８０３  ブラウザ、２９０１  位置測定部、２９０２  地図配信要求メール記憶部、２９０３  地図配信要求メール生成部、２９０４  メール送信部、３５０１  駐車位置登録要求メール記憶部、３５０２  駐車位置登録要求メール生成部、３５０３  メール送信部、４２０１  演算装置、４２０２  データ記憶装置、４２０３  メモリ、４２０４  通信インターフェース。
【図１】
2007226484.tif 000003
【図２】
2007226484.tif 000004
【図３】
2007226484.tif 000005
【図４】
2007226484.tif 000006
【図５】
2007226484.tif 000007
【図６】
2007226484.tif 000008
【図７】
2007226484.tif 000009
【図８】
2007226484.tif 000010
【図９】
2007226484.tif 000011
【図１０】
2007226484.tif 000012
【図１１】
2007226484.tif 000013
【図１２】
2007226484.tif 000014
【図１３】
2007226484.tif 000015
【図１４】
2007226484.tif 000016
【図１５】
2007226484.tif 000017
【図１６】
2007226484.tif 000018
【図１７】
2007226484.tif 000019
【図１８】
2007226484.tif 000020
【図１９】
2007226484.tif 000021
【図２０】
2007226484.tif 000022
【図２１】
2007226484.tif 000023
【図２２】
2007226484.tif 000024
【図２３】
2007226484.tif 000025
【図２４】
2007226484.tif 000026
【図２５】
2007226484.tif 000027
【図２６】
2007226484.tif 000028
【図２７】
2007226484.tif 000029
【図２８】
2007226484.tif 000030
【図２９】
2007226484.tif 000031
【図３０】
2007226484.tif 000032
【図３１】
2007226484.tif 000033
【図３２】
2007226484.tif 000034
【図３３】
2007226484.tif 000035
【図３４】
2007226484.tif 000036
【図３５】
2007226484.tif 000037
【図３６】
2007226484.tif 000038
【図３７】
2007226484.tif 000039
【図３８】
2007226484.tif 000040
【図３９】
2007226484.tif 000041
【図４０】
2007226484.tif 000042
【図４１】
2007226484.tif 000043
【図４２】
2007226484.tif 000044